(57)【特許請求の範囲】
【請求項１】
左右に長いトップ部及び該トップ部に上側が連結された左右に長い垂下部を備える長尺の水平材と、前記水平材に固定されて物品を支持する架け具とを有する物品収納棚であって、
前記架け具は、前記トップ部に上から当接するＡ部と、前記Ａ部に連結され、前記垂下部の前後の一側に配置されるＢ部と、前記Ｂ部に連結され、前記垂下部に下から当接するＣ部と、前記Ｃ部に連結され、前記垂下部の前後の他側で該垂下部まで距離を有する位置に配置されるＤ部とを備え、
前記架け具は、前記水平材の所望の左右位置で、前記垂下部と前記Ｄ部の間に弾性体が嵌入されて、前記水平材に固定されることを特徴とする物品収納棚。
【請求項２】
請求項１記載の物品収納棚において、前記弾性体は、筒状物であることを特徴とする物品収納棚。
【請求項３】
請求項１又は２記載の物品収納棚において、前記垂下部は、前記弾性体に接する当接面が上方に向かって前記Ｄ部の方向に傾斜していることを特徴とする物品収納棚。
【請求項４】
請求項１〜３のいずれか１項に記載の物品収納棚において、前記Ａ部、前記Ｂ部、前記Ｃ部及び前記Ｄ部は、それぞれ板状片であることを特徴とする物品収納棚。
【請求項５】
請求項４記載の物品収納棚において、前記Ｃ部は前記Ａ部に対向して配置され、前記Ｄ部は前記Ｂ部に対向して配置されていることを特徴とする物品収納棚。
【請求項６】
請求項１〜５のいずれか１項に記載の物品収納棚において、前記水平材は２つの前記垂下部を備えた溝形鋼であって、前記トップ部はウェブ、２つの前記垂下部はそれぞれフランジであることを特徴とする物品収納棚。
【請求項７】
左右に長い板状の水平配置されたトップ部と前記トップ部に上側が連結された左右に長い板状の垂下部とを備える長尺の水平材に、物品を支持する架け具を固定する架け具の取り付け方法であって、
板状片であるＡ部と、前記Ａ部に連結され、該Ａ部に９０度の角度をなす板状片であるＢ部と、前記Ｂ部に連結され、前記Ａ部に対向して平行に配置された板状片であるＣ部と、前記Ｃ部に連結され、前記Ｂ部に対向して平行に配置された板状片であるＤ部とを備える前記架け具を、前記水平材の所望の左右位置で、前記Ａ部及び前記Ｃ部が前記トップ部に対して傾斜し、前記Ｂ部が前記垂下部の前後の一側に位置し、前記Ｄ部が前記垂下部の前後の他側であるＰ側に位置する配置にする第１の工程と、
前記架け具を、前記Ａ部及び前記Ｃ部の前記トップ部に対する傾斜角が小さくなる方向に回動させ、前記Ａ部を前記トップ部に上から当接させ、前記Ｃ部を前記垂下部に下から当接させる第２の工程と、
前記架け具を前記Ｐ側に移動させ、前記架け具をＰ側限界位置に配置させて前記垂下部と前記Ｄ部の間に隙間を設ける第３の工程と、
前記垂下部と前記Ｄ部の間に弾性体を嵌入する第４の工程とを有することを特徴とする架け具の取り付け方法。
【発明の詳細な説明】
【技術分野】
【０００１】
本発明は、物品を支持する物品収納棚及び架け具の取り付け方法に関する。
【背景技術】
【０００２】
床に置いた枕木の上に物品を並べて保管する場合、大きい面積が必要となって、他の用途に利用できる床面積が小さくなる。そして、保管する物品が多く、通路にも物品が置かれるようになると、安全性の観点でもよい状況とは言えない。
そこで、上下に複数の物品の保持部を備えて物品の保管に要する床面積を小さくした収納棚が用いられ、その具体例が、例えば、特許文献１、２に記載されている。
【０００３】
特許文献１には、対向する支枠それぞれに取り付けた軸受金具によって、スプールの軸心を支持する台車が記載されている。対となる軸受金具は左右に間隔を空けて同一高さに配置されているので、スプールを水平に保った状態で安定的に支持することが可能である。
また、特許文献２に記載の物品収納棚は、物品が置かれる物品載置用の上面が、物品の円柱状部分の外周面より曲率が小さくなるように形成され、円柱状部分の軸心方向と直交する方向への物品の移動を規制して物品の転落を防ぐことができ、簡素な構造で安定的に物品を保持可能である。
【先行技術文献】
【特許文献】
【０００４】
【特許文献１】特公昭５２−１５４９号公報
【特許文献２】特開２００６−２７８３６号公報
【発明の概要】
【発明が解決しようとする課題】
【０００５】
しかしながら、特許文献１、２は、物品の長さが同一であることを前提としているため、収容しようとする物品の長さごとに収納棚を設計する必要があった。そして、物品の長さが個々に異なる場合、実質的に、これらの収納棚を用いることはできなかった。
本発明は、かかる事情に鑑みてなされるもので、物品の長さに応じて、物品を支持する部材の固定位置を調整可能な物品収納棚及び架け具の取り付け方法を提供することを目的とする。
【課題を解決するための手段】
【０００６】
前記目的に沿う第１の発明に係る物品収納棚は、左右に長いトップ部及び該トップ部に上側が連結された左右に長い垂下部を備える長尺の水平材と、前記水平材に固定されて物品を支持する架け具とを有する物品収納棚であって、前記架け具は、前記トップ部に上から当接するＡ部と、前記Ａ部に連結され、前記垂下部の前後の一側に配置されるＢ部と、前記Ｂ部に連結され、前記垂下部に下から当接するＣ部と、前記Ｃ部に連結され、前記垂下部の前後の他側で該垂下部まで距離を有する位置に配置されるＤ部とを備え、前記架け具は、前記水平材の所望の左右位置（左右方向の所望位置、例えば任意の位置）で、前記垂下部と前記Ｄ部の間に弾性体が嵌入されて、前記水平材に固定される。
【０００７】
第１の発明に係る物品収納棚において、前記弾性体は、筒状物であるのが好ましい。
【０００８】
第１の発明に係る物品収納棚において、前記垂下部は、前記弾性体に接する当接面が上方に向かって前記Ｄ部の方向に傾斜しているのが好ましい。
【０００９】
第１の発明に係る物品収納棚において、前記Ａ部、前記Ｂ部、前記Ｃ部及び前記Ｄ部は、それぞれ板状片であるのが好ましい。
【００１０】
第１の発明に係る物品収納棚において、前記Ｃ部は前記Ａ部に対向して配置され、前記Ｄ部は前記Ｂ部に対向して配置されているのが好ましい。
【００１１】
第１の発明に係る物品収納棚において、前記水平材は２つの前記垂下部を備えた溝形鋼であって、前記トップ部はウェブ、２つの前記垂下部はそれぞれフランジであるのが好ましい。
【００１２】
前記目的に沿う第２の発明に係る架け具の取り付け方法は、左右に長い板状の水平配置されたトップ部と前記トップ部に上側が連結された左右に長い板状の垂下部とを備える長尺の水平材に、物品を支持する架け具を固定する架け具の取り付け方法であって、板状片であるＡ部と、前記Ａ部に連結され、該Ａ部に９０度の角度をなす板状片であるＢ部と、前記Ｂ部に連結され、前記Ａ部に対向して平行に配置された板状片であるＣ部と、前記Ｃ部に連結され、前記Ｂ部に対向して平行に配置された板状片であるＤ部とを備える前記架け具を、前記水平材の所望の左右位置（左右方向の所望位置、例えば任意の位置）で、前記Ａ部及び前記Ｃ部が前記トップ部に対して傾斜し、前記Ｂ部が前記垂下部の前後の一側に位置し、前記Ｄ部が前記垂下部の前後の他側であるＰ側に位置する配置にする第１の工程と、前記架け具を、前記Ａ部及び前記Ｃ部の前記トップ部に対する傾斜角が小さくなる方向に回動させ、前記Ａ部を前記トップ部に上から当接させ、前記Ｃ部を前記垂下部に下から当接させる第２の工程と、前記架け具を前記Ｐ側に移動させ、前記架け具をＰ側限界位置に配置させて前記垂下部と前記Ｄ部の間に隙間を設ける第３の工程と、前記垂下部と前記Ｄ部の間に弾性体を嵌入する第４の工程とを有する。
【発明の効果】
【００１３】
第１の発明に係る物品収納棚は、架け具が、トップ部に上から当接するＡ部と、Ａ部に連結され、垂下部の前後の一側に配置されるＢ部と、Ｂ部に連結され、垂下部に下から当接するＣ部と、Ｃ部に連結され、垂下部の前後の他側で垂下部まで距離を有する位置に配置されるＤ部とを備え、架け具は、垂下部とＤ部の間に弾性体が嵌入されて、水平材の所望の左右位置で、水平材に固定されるので、物品の長さに応じて、架け具の水平材への固定位置を調整可能である。
【００１４】
また、第２の発明に係る架け具の取り付け方法は、板状片であるＡ部と、Ａ部に連結され、Ａ部に９０度の角度をなす板状片であるＢ部と、Ｂ部に連結され、Ａ部に対向して平行に配置された板状片であるＣ部と、Ｃ部に連結され、Ｂ部に対向して平行に配置された板状片であるＤ部とを備える架け具を、水平材の所望の左右位置で、Ａ部及びＣ部がトップ部に対して傾斜し、Ｂ部が垂下部の前後の一側に位置し、Ｄ部が垂下部の前後の他側に位置する配置にする第１の工程と、架け具を、Ａ部及びＣ部の水平材に対する傾斜角が小さくなる方向に回動させ、Ａ部をトップ部に上から当接させ、Ｃ部を垂下部に下から当接させる第２の工程と、架け具をトップ部に沿ったＰ方向に移動させ、架け具をＰ方向限界位置に配置させて垂下部とＤ部の間に隙間を設ける第３の工程と、垂下部とＤ部の間に弾性体を嵌入する第４の工程とを有している。従って、第２の発明に係る架け具の取り付け方法においても、物品の長さに応じて、架け具の水平材への固定位置を調整することができる。
【図面の簡単な説明】
【００１５】
【図１】本発明の一実施の形態に係る物品収納棚の側面図である。
【図２】同物品収納棚の正面図である。
【図３】（Ａ）、（Ｂ）、（Ｃ）はそれぞれ、架け具の平面図、側面図、正面図である。
【図４】（Ａ）、（Ｂ）は、架け具を水平材に取り付ける様子を示す説明図である。
【図５】（Ａ）、（Ｂ）、（Ｃ）はそれぞれ、第１の変形例に係る架け具の平面図、側面図、正面図である。
【図６】（Ａ）、（Ｂ）、（Ｃ）はそれぞれ、第２の変形例に係る架け具の平面図、側面図、正面図である。
【発明を実施するための形態】
【００１６】
続いて、添付した図面を参照しつつ、本発明を具体化した実施の形態につき説明し、本発明の理解に供する。
図１、図２に示すように、本発明の一実施の形態に係る物品収納棚１０は、左右に長いトップ部１１及びトップ部１１に上側が連結された左右に長い垂下部１２、１２ａを備える長尺の水平材１３と、水平材１３に固定されて物品１４、１４ａを支持する架け具１５、１６、１７とを有する。以下、これらについて詳細に説明する。
【００１７】
物品収納棚１０は、図１、図２に示すように、左側に前車輪１８及び後車輪１８ａを備え、右側にも前車輪１８及び後車輪１８ａを備えた台車１９を下部に有し、その台車１９には左右にそれぞれ支柱２０、２１が固定されている。
左側の前車輪１８、後車輪１８ａ及び右側の前車輪１８、後車輪１８ａは、全て、あるいは、その一部がロック機構を備えているので、台車１９の停止状態は確実に維持可能である。
【００１８】
支柱２０（支柱２１についても同じ）は、上下方向に沿って配置されたＨ型鋼２２及びＨ型鋼２２の下部に固定された２つの補助部材２３を備え、接合部品２４によって台車１９に固定されている。本実施の形態では、接合部品２４がボルトとナットを有している。
支柱２０の上部と支柱２１の上部が水平配置された長尺のロッド２５によって連結されているので、支柱２０、２１の立設状態は安定的に保たれている。
【００１９】
支柱２０と支柱２１の間には、複数（本実施の形態では５つ）の長尺の水平材１３が上下に間隔を空けて並べられている。各水平材１３は、左側が連結部材２６によって支柱２０のＨ型鋼２２に取り付けられ、右側が連結部材２６ａによって支柱２１のＨ型鋼２２に取り付けられて、長手方向を左右方向に一致させた配置で固定されている。
本実施の形態では、水平材１３として、溝形鋼が用いられ、水平材１３が備えるトップ部１１は板状のウェブであり、水平材１３が備える２つの垂下部１２、１２ａはそれぞれ板状のフランジである。垂下部１２と、垂下部１２の後側にある垂下部１２ａはそれぞれ上側全体がトップ部１１に連結されている。
【００２０】
各水平材１３は、左右に長いトップ部１１が水平配置され、左右に長い垂下部１２はトップ部１１の前側に連結されて鉛直に配置され、左右に長い垂下部１２ａはトップ部１１の後側に連結されて鉛直に配置されている。
本実施の形態では、水平材１３に溝形鋼が採用されているが、これに限定されないことは言うまでもなく、例えば山形鋼を水平材として使用することもできる。そして、水平材が山形鋼である場合、各水平材においては、２つのフランジ（長尺の板状片）の一方がトップ部であり、他方が垂下部となる。因って、水平材として山形鋼を採用した場合、垂下部は１つである。
なお、トップ部及び垂下部は、垂直の関係である必要はない。
【００２１】
また、各水平材１３には、複数の架け具１５、１６、１７を固定可能である。なお、図２では、一部の架け具１５、１６、１７の記載を省略している。
架け具１５は、図３（Ａ）、（Ｂ）、（Ｃ）に示すように、一方向に長いベースプレート２８と、ベースプレート２８の幅方向両側に下部がそれぞれ連結された側壁プレート２９、２９ａを有している。側壁プレート２９、２９ａは平行に配置されている。
一方向に長い長尺の側壁プレート２９（側壁プレート２９ａについても同じ）には、上側に、間隔を空けて３つの半円形の切欠き３０があって、各切欠き３０に、プラスチック製の保護体３１が装着されている。側壁プレート２９、２９ａの各切欠き３０は他の切欠き３０と同一高さに形成され、切欠き３０に取り付けられている各保護体３１も他の保護体３１と同一高さに配されている。
【００２２】
側壁プレート２９、２９ａの切欠き３０に取り付けられた各保護体３１は、切欠き３０の外縁の形状に合わせて円弧に形成されている。
側壁プレート２９に形成された３つの切欠き３０は、側壁プレート２９の長手方向において、側壁プレート２９ａに形成された３つの切欠き３０とそれぞれ同位置にあり、これに対応して、側壁プレート２９に装着された３つの保護体３１も、側壁プレート２９の長手方向において、側壁プレート２９ａに装着された３つの保護体３１とそれぞれ同位置にある。
側壁プレート２９、２９ａにそれぞれ形成され側壁プレート２９、２９ａの長手方向位置が同じ２つの対向する切欠き３０と、その２つの切欠き３０それぞれに装着された２つの保護体３１とを合わせた１組の機構は、１つの物品１４（あるいは物品１４ａ）の一側を支持することができ、３組のこの機構を有する架け具１５は、最大３つの物品１４（あるいは物品１４ａ）の一側を支持可能である。
【００２３】
ベースプレート２８には、側壁プレート２９の長手方向に平行配置され、ベースプレート２８の幅方向両側がそれぞれ側壁プレート２９、２９ａに連結された領域（以下、「側壁連結領域」とも言う）と、ベースプレート２８の幅方向両側が側壁プレート２９、２９ａのいずれにも非連結の領域（以下、「側壁非連結領域」とも言う）とが設けられている。
ベースプレート２８の側壁非連結領域は、側壁連結領域に沿って配置された側壁連結領域に連続する部分（以下、「基部分」とも言う）と、この基部分の先側で下向きに折り曲げられ、側壁連結領域に対して９０度の角度をなす板状片３２（Ｂ部）と、板状片３２の先側で折り曲げられ、板状片３２と９０度の角度をなし、基部分に対向配置された板状片３３（Ｃ部）と、板状片３３の先側で上向きに折り曲げられ板状片３３と９０度の角度をなす板状片３４（Ｄ部）を備えている。
【００２４】
ベースプレート２８の基部分と、側壁連結領域において基部分に連続する部分（本実施の形態では、基部分からベースプレート２８の長手方向に１０〜２０％の範囲）とを合わせてなる板状片３５（Ａ部）、及び、板状片３２、３３、３４は、一体となって、架け具１５が水平材１３に固定される際に水平材１３に掛け止められる掛止機構を形成する。従って、架け具１５は、この板状片３２、３３、３４、３５からなる掛止機構が水平材１３に掛け止められた状態で水平材１３に取り付けられることになる。
【００２５】
板状片３２は板状片３５に連結され、板状片３３は板状片３２に連結され、板状片３４は板状片３３にそれぞれ連結されている。そして、板状片３３は板状片３５に対向して平行に配置され、板状片３４は板状片３２に対向して平行に配置され、板状片３２、３４は板状片３３、３５に対して９０度の角度をなしている。
板状片３２、３４の間隔は、図４（Ｂ）に示すように、垂下部１２の厚みより広く、板状片３３、３５の間隔は、垂下部１２の上下長さと同じである。
【００２６】
水平材１３に取り付けられた架け具１５は、板状片３５が上からトップ部１１に当接し、板状片３２が垂下部１２の前後の一側（本実施の形態では、前側）に配置され、板状片３３が垂下部１２に下から当接し、更に、板状片３４が垂下部１２の前後の他側（本実施の形態では、後側）に配置された状態となる。以下、単に「前側」と記した場合は、物品収納棚１０の前側を意味し、単に「後側」と記した場合は、物品収納棚１０の後側を意味する。
水平材１３に架け具１５を取り付けた際、板状片３４は、垂下部１２まで距離を有する位置に配置される。板状片３４と垂下部１２の間に何もないこの状態では、架け具１５は、架け具１５に力が作用すると水平材１３から落下し得るという不安定な状態にある。
【００２７】
そこで、垂下部１２と板状片３４の間に弾性体３６が嵌入され、垂下部１２と板状片３４の間の隙間を埋めることによって、架け具１５を安定した状態で水平材１３に固定するようにしている。
弾性体３６は、プラスチック製の筒状物であり、軸心が水平配置された状態で、垂下部１２と板状片３４の間に嵌入されて、前側が垂下部１２に当接し、後側が板状片３４にそれぞれ当接する。筒状物である弾性体３６は、弾性体３６が円柱物である場合に比べ、前後方向の弾性率が小さく、垂下部１２と板状片３４の間への嵌入作業が容易である。
垂下部１２は、垂下部１２と板状片３４の間に嵌入された弾性体３６に接する当接面が上方に向かって後側（即ち、板状片３４の方向）に傾斜しているので、垂下部１２と板状片３４の間に嵌入されている弾性体３６は、垂下部１２の弾性体３６に接する当接面が鉛直に配置されている場合に比べ、嵌入された位置から上方に出るのを抑制されている。
【００２８】
そして、図１、図２に示すように、１つ（特定）の水平材１３に対して、その水平材１３の前側に切欠き３０が配される状態で２つの架け具１５が間隔を空けて固定されることにより、その２つの架け具１５は、最大で３つの物品１４を水平に保った状態で保持することができる。
具体的には、間隔を空けて水平材１３に固定された２つの架け具１５の一方の架け具１５により物品１４の一側を下から支持し、他方の架け具１５により物品１４の他側を下から支持する。
【００２９】
この際、物品１４の一側は、一方の架け具１５に設けられた前後位置が同じ２つの保護体３１に上から当接し、物品１４の他側は、他方の架け具１５に設けられた前後位置が同じ２つの保護体３１に上から当接する。従って、２つの架け具１５によって支持された物品１４は、各架け具１５につき長手方向で２つの異なる位置で保護体３１に接し、合計、長手方向の４つの異なる位置で２つの架け具１５に接した状態になっている。
【００３０】
また、架け具１５は、切欠き３０が水平材１３の後側に位置した配置で、水平材１３に固定されることに加え、切欠き３０が水平材１３の前側に位置した配置で、水平材１３に固定されることも可能である。
そして、物品１４を保持すべく１つの水平材１３に固定されていた２つの架け具１５は、間隔を狭めて、その水平材１３に固定されることで、物品１４より短い物品１４ａを保持可能である。逆に物品１４より長い物品を保持するためには、２つの架け具１５の間隔は広げられる。即ち、架け具１５は、水平材１３の所望の左右位置（左右方向の所望位置）で、水平材１３に固定される。
【００３１】
次に、架け具１５及び水平材１３に対して適用可能な本発明の一実施の形態に係る架け具の取り付け方法について、以下、説明する。
架け具１５を、図４（Ａ）に示すように、水平材１３の所望の左右位置で、板状片３３、３５が水平配置されたトップ部１１に対して傾斜し、板状片３２が垂下部１２の前後の一側（本実施の形態では前側）に位置し、板状片３４が垂下部１２の前後の他側であるＰ側（本実施の形態では後側）に位置する傾斜した配置にする（第１の工程）。このとき、板状片３５はトップ部１１に接触状態であっても非接触状態であってもよく、板状片３４は垂下部１２に接触状態であっても非接触状態であってもよい。
【００３２】
そして、架け具１５を、板状片３３、３５のトップ部１１に対する傾斜角が小さくなる方向に回動させ、ベースプレート２８の側壁連結領域が前後方向に沿って配置されるようにし、図４（Ｂ）に示すように、板状片３５をトップ部１１に上から当接させ、板状片３３を垂下部１２に下から当接させる（第２の工程）。
架け具１５をＰ側（本実施の形態では、後側）に移動させ、架け具１５をＰ側限界位置に配置させて垂下部１２と板状片３４の間に隙間を設ける（第３の工程）。Ｐ側限界位置とは、架け具１５が、物理的にこれ以上Ｐ側に移動できない位置を言う。
ここで、架け具１５を前後を逆に配置して、板状片３３を垂下部１２ａに下から当接させる場合には、Ｐ側が、物品収納棚１０における前側となる。
次に、垂下部１２と板状片３４の間の上方から、軸心が左右方向に沿った状態の弾性体３６を垂下部１２と板状片３４の間に嵌入して（第４の工程）、架け具１５の水平材１３への固定が完了する。
なお、前後が逆に配置された架け具１５を水平材１３に固定する際に、垂下部１２ａと板状片３４の間に嵌入される弾性体３６に接する垂下部１２ａの当接面は、上方に向かって前側（即ち、板状片３４の方向）に傾斜している。
【００３３】
水平材１３に固定された架け具１５を取り外す際には、まず、垂下部１２と板状片３４の間に嵌入された弾性体３６を垂下部１２と板状片３４の間から上方に取り出す。
そして、架け具１５をＰ側と反対側（本実施の形態では、前側）に移動させた後、架け具１５を、図４（Ａ）に示すように、板状片３３、３５とトップ部１１のなす角度が大きくなる方向に回動させることによって、架け具１５を水平材１３から取り外すことができる。
水平材１３から取り外された架け具１５は、水平材１３の左右の異なる位置で、再び、水平材１３に固定可能である。
【００３４】
また、架け具１５の第１の変形例である架け具１６は、図５（Ａ）、（Ｂ）、（Ｃ）に示すように、架け具１５に対し、側壁連結領域の長さが短い。
架け具１６は、１つの切欠き３０が形成された１つの側壁プレート３７を備え、この１つの側壁プレート３７で１つの物品１４（あるいは物品１４ａ）を支持する設計となっている。架け具１６が備えるベースプレート３８が、板状片３２、３３、３４、３５を有する点、弾性体３６を用いることによって架け具１６を水平材１３に安定的に固定できる点、及び、切欠き３０には保護体３１が装着されている点は、架け具１５と同じである。
【００３５】
そして、架け具１５の第２の変形例である架け具１７は、図６（Ａ）、（Ｂ）、（Ｃ）に示すように、架け具１５に対し、ベースプレート４０の形状が異なり、更に、側壁プレート４１、４１ａそれぞれの配置及び形状が異なっている。
一側が上向きに９０度折り曲げられ、他側に板状片３２、３３、３４、３５を備えたベースプレート４０は、上方から物品が載置される。このベースプレート４０に載置される物品は、ベースぺレート４０上で転がらない形状、例えば、断面矩形の形状を備えていることが前提となる。
【００３６】
一方向に長い側壁プレート４１、４１ａは、垂れ下った状態でベースプレート４０の左右にそれぞれ連結されている。この側壁プレート４１、４１ａは、物品が載置されるものではなく、ベースプレート４０の剛性を高めるのを主目的としている。
そして、架け具１７においては、Ａ部が、この側壁プレート４１、４１ａの一側の部分（本実施の形態では、側壁プレート４１、４１ａ全体において板状片３２に近接した２〜５％の領域）によって形成されている。
【００３７】
以上、本発明の実施の形態を説明したが、本発明は、上記した形態に限定されるものでなく、要旨を逸脱しない条件の変更等は全て本発明の適用範囲である。
例えば、Ａ部は、ベースプレートの側壁連結領域の一部分のみによって、あるいは、ベースプレートの基部分のみによって形成することができる。
また、Ａ部、Ｂ部、Ｃ部及びＤ部は、それぞれ板状片に限定されず、例えば、スリットが形成されたものであってもよい。
そして、架け具は１つで物品を保持可能に設計することもできる。例えば、ベースプレートの幅を広げ、側壁プレート間の間隔を広げることにより、長尺の物品を１つの架け具により保持可能となる。
更に、弾性体はプラスチックではなく、他の素材、例えば、木材を素材に形成してもよく、弾性体の形状も筒状に限定されない。
また、水平材の形状によっては、Ａ部とＣ部が対向配置されている必要はなく、Ｂ部とＤ部も対向配置されている必要はない。そして、垂下部はトップ部と左右長さが同じである必要はない。
【符号の説明】
【００３８】
１０：物品収納棚、１１：トップ部、１２、１２ａ：垂下部、１３：水平材、１４、１４ａ：物品、１５、１６、１７：架け具、１８：前車輪、１８ａ：後車輪、１９：台車、２０、２１：支柱、２２：Ｈ型鋼、２３：補助部材、２４：接合部材、２５：ロッド、２６、２６ａ：連結部材、２８：ベースプレート、２９、２９ａ：側壁プレート、３０：切欠き、３１：保護体、３２〜３５：板状片、３６：弾性体、３７：側壁プレート、３８：ベースプレート、４０：ベースプレート、４１、４１ａ：側壁プレート
【図１】
0005873849.tif 000002
【図２】
0005873849.tif 000003
【図３】
0005873849.tif 000004
【図４】
0005873849.tif 000005
【図５】
0005873849.tif 000006
【図６】
0005873849.tif 000007